(57)【要約】【課題】励起光により樹脂部が熱的に励起することを抑制する。【解決手段】励起装置であって、高分子材料により形成された樹脂部を有する支持部材に支持された対象物に非線形光学効果を発生させるべく、対象物に励起光を照射する照射部と、励起光により樹脂部が熱的に励起することを抑制する抑制部とを備える。上記励起装置において、抑制部は、樹脂部に照射される励起光の光強度を減衰させてもよい。また、上記励起装置において、抑制部は、樹脂部に照射される励起光の連続照射時間を短縮してもよい。【選択図】図１２
2015121660.tif 000002
【特許請求の範囲】
【請求項１】
高分子材料により形成された樹脂部を有する支持部材に支持された対象物に非線形光学効果を発生させるべく、前記対象物に励起光を照射する照射部と、
前記励起光により前記樹脂部が熱的に励起することを抑制する抑制部と
を備える励起装置。
【請求項２】
前記抑制部は、前記樹脂部に照射される前記励起光の光強度を減衰させる請求項１に記載の励起装置。
【請求項３】
前記抑制部は、前記樹脂部に照射される前記励起光の連続照射時間を短縮する請求項１または請求項２に記載の励起装置。
【請求項４】
前記抑制部は、前記樹脂部に照射される前記励起光の時間的な照射間隔を増加させる請求項１から３のいずれか一項に記載の励起装置。
【請求項５】
前記抑制部は、前記樹脂部に照射される前記励起光の空間的な照射間隔を増加させる請求項１から４のいずれか一項に記載の励起装置。
【請求項６】
前記抑制部は、前記樹脂部に照射される前記励起光の単位面積あたりのエネルギーを減少させる請求項１から５のいずれか一項に記載の励起装置。
【請求項７】
前記支持部材における前記樹脂部の領域を特定する特定部を更に有し、前記抑制部は、前記特定部が特定した領域において熱的に励起することを抑制する請求項１から６までのいずれか一項に記載の励起装置。
【請求項８】
前記特定部は、前記樹脂部の位置を測定する測定部を含む請求項７に記載の励起装置。
【請求項９】
前記特定部は、前記支持部材に記載された前記樹脂部の位置に関する情報を読み取る読取部を有する請求項７に記載の励起装置。
【請求項１０】
前記樹脂部は、前記対象物を固定する温度応答性ポリマー層を含む請求項１から９までのいずれか一項に記載の励起装置。
【請求項１１】
請求項１から１０までのいずれか一項に記載の励起装置を備えるレーザ顕微鏡。
【請求項１２】
高分子材料により形成された樹脂部を有する支持部材に支持された対象物に非線形光学効果を発生させるべく、前記対象物に励起光を照射する照射段階と、
前記励起光により前記樹脂部が熱的に励起することを抑制する抑制段階と
を備える励起方法。
【請求項１３】
高分子材料により形成された樹脂部と、
前記樹脂部が占める空間的な領域を表示する表示部と
を備える支持部材。
【請求項１４】
前記樹脂部は、温度応答性ポリマーを含む請求項１３に記載の支持部材。
【発明の詳細な説明】
【技術分野】
【０００１】
本発明は、励起装置、レーザ顕微鏡、励起方法および支持部材に関する。
【背景技術】
【０００２】
励起光を照射して非線形光学効果を発生させる励起装置がある（特許文献１参照）。
特許文献１  特開２０１１−２５７６９１号公報
【発明の概要】
【発明が解決しようとする課題】
【０００３】
励起光が照射対象の熱的な励起を誘発する場合がある。
【課題を解決するための手段】
【０００４】
本発明の第１態様においては、高分子材料により形成された樹脂部を有する支持部材に支持された対象物に非線形光学効果を発生させるべく、対象物に励起光を照射する照射部と、励起光により樹脂部が熱的に励起することを抑制する抑制部とを備える励起装置が提供される。
【０００５】
本発明の第２態様においては、上記励起装置を備えるレーザ顕微鏡が提供される。
【０００６】
本発明の第３態様においては、高分子材料により形成された樹脂部を有する支持部材に支持された対象物に非線形光学効果を発生させるべく、対象物に励起光を照射する照射段階と、励起光により樹脂部が熱的に励起することを抑制する抑制段階とを備える励起方法が提供される。
【０００７】
本発明の第４態様においては、高分子材料により形成された樹脂部と、樹脂部の空間的な領域を表示する表示部とを備える支持部材が提供される。
【０００８】
上記の発明の概要は、本発明の必要な特徴の全てを列挙したものではない。これらの特徴群のサブコンビネーションも発明となり得る。
【図面の簡単な説明】
【０００９】
【図１】レーザ顕微鏡１００の模式図である。
【図２】レーザ顕微鏡１００の原理を説明する模式図である。
【図３】培養容器２００の断面図である。
【図４】培養容器２００の側面図である。
【図５】観察手順を示す流れ図である。
【図６】観察手順の一部を示す模式的断面図である。
【図７】観察手順の一部を示す模式的断面図である。
【図８】観察手順を示す流れ図である。
【図９】観察手順の一部を示す模式的断面図である。
【図１０】観察手順の一部を示す模式的断面図である。
【図１１】サンプル１１２における励起光の焦点付近を拡大して示す図である。
【図１２】サンプル１１２における励起光の焦点付近を拡大して示す図である。
【発明を実施するための形態】
【００１０】
以下、発明の実施の形態を通じて本発明を説明するが、下記の実施形態は特許請求の範囲に係る発明を限定するものではない。実施形態の中で説明されている特徴の組み合わせの全てが発明の解決手段に必須であるとは限らない。
【００１１】
図１は、細胞観察に使用できるレーザ顕微鏡１００の構造を示す模式図である。レーザ顕微鏡１００は、ステージ１１０、レーザ装置１２０、走査系１３０、光学系１４０、検出系１５０および制御系１６０を備える。
【００１２】
レーザ顕微鏡１００は、ＣＡＲＳ（コヒーレント反ストークスラマン散乱）、ＳＲＳ（誘導ラマン散乱）等の非線形光学効果を利用して、培養した細胞、組織および微生物等を生かしたまま観察することができる。非線形光学効果は、観察対象に対して励起光を照射することにより発生する。
【００１３】
レーザ顕微鏡１００において、ステージ１１０は、観察の対象となるサンプル１１２を支持して、光学系１４０の光路に挿入された観察位置と、光学系１４０の光路からはずれた予備位置との間を水平に移動する。図示のレーザ顕微鏡１００においては、図中に矢印ｘ−ｙで示す紙面に直交する面に沿って移動する。
【００１４】
サンプル１１２を観察する場合は、ステージ１１０を光学系１４０の光路と交差する位置に移動させた上で、サンプル１１２の一方の面（図示の例では図中下面）から、励起光を照射する。また、ステージ１１０に対して、レーザ光が照射される側とは反対の側から射出されるＣＡＲＳ光を検出して観察画像が形成される。
【００１５】
なお、ステージ１１０が予備位置にある場合は、ステージ１１０に支持されたサンプル１１２が測定部１４９による特定の対象となる。また、ステージ１１０の予備位置は、ステージ１１０に支持されたサンプル１１２が、読取部１４１の読み取り対象となる。これらの点については、他の図を参照して後述する。
【００１６】
レーザ顕微鏡１００におけるレーザ装置１２０は、複数のレーザ光源１２２、１２４と、コンバイナ１２６とを有する。レーザ光源１２２、１２４は、ＣＡＲＳ光検出による観察に用いられるパルスレーザを発生する。また、レーザ光源１２２、１２４が発生するパルスレーザは、互いに異なる波長λＰ、λＳを有する。
【００１７】
レーザ光源１２２、１２４としては、例えば、モードロックピコ秒Ｎｄ：ＹＶＯ４レーザ、モードロックピコ秒イットリビウムレーザー等を用いることができる。なお、レーザ光源１２２、１２４の一方を、他方のレーザ光源１２２、１２４が発生したパルスレーザの波長を変換する光パラメトリック発振器に置き換えてもよい。
【００１８】
レーザ光源１２２、１２４により発生した２波長のピコ秒パルスのうち、短い方の波長λＰを有するパルスレーザは、ＣＡＲＳ光観察におけるポンプ光として利用される。また、レーザ光源１２２、１２４の発生するピコ秒パルスのうち、長い方の波長λＳ有するパルスレーザは、ＣＡＲＳ光観察におけるストークス光として利用される。
【００１９】
コンバイナ１２６は、複数のレーザ光源１２２、１２４が発生したレーザ光を統合して単一の光路上に励起光として射出する。これにより、ポンプ光とストークス光とを併せた励起光をサンプル１１２に照射して、サンプル１１２においてＣＡＲＳ光を発生させることができる。このように、レーザ顕微鏡１００においては、レーザ装置１２０および光学系１４０が励起装置における照射部を形成する。
【００２０】
なお、レーザ装置１２０には、レーザ光源１２２、１２４が発生するポンプ光のパルスとストークス光のパルスとを同期させる目的で遅延光路を設けてもよい。遅延光路は、互いの間隔を変更できる複数の反射鏡により形成できる。また、レーザ装置１２０においては、フォトニック結晶ファイバを用いてストークス光を広帯域化してもよい。
【００２１】
レーザ顕微鏡１００において、走査系１３０は、ガルバノスキャナ１３２およびスキャンレンズ１３４を有する。ガルバノスキャナ１３２は、互いに向きが異なる２軸の周りを揺動する反射鏡を備え、入射した励起光の光路を、光軸と交差する方向に二次元的に変位させる。
【００２２】
スキャンレンズ１３４は、ガルバノスキャナ１３２から射出された励起光を、予め定められた一次像面１３６上に合焦させる。これにより、レーザ装置１２０から射出された励起光は、サンプル１１２の観察領域において焦点を結ぶ。また、ガルバノスキャナ１３２が動作した場合は、図中に矢印ｘ−ｙで示す平面と平行に励起光の焦点を走査させて、予め定められた広さを有する観察領域に励起光を照射して、ＣＡＲＳ光を発生させることができる。
【００２３】
光学系１４０は、ステージ１１０に対して検出系１５０側に配された対物レンズ１４２と、ステージ１１０に対してレーザ装置１２０側に配された下側の対物レンズ１４４およびコンデンサレンズ１４６とを有する。下側の対物レンズ１４４は、サンプル１１２に向かって照射される励起光を、サンプル１１２における観察領域内で合焦させる。また、一対の対物レンズ１４２、１４４は、互いに同じ開口数（ＮＡ）を有する。
【００２４】
光学系１４０の入射端側において、レーザ装置１２０と対物レンズ１４２との間の励起光の光路上には、反射鏡１４８が配される。反射鏡１４８は、励起光の光路を折り曲げて、レーザ顕微鏡１００の構造物が過剰に高くなることを防止する。反射鏡１４８としては、全反射プリズムではなく、入射光を表面で反射させる金属鏡を用いてもよい。光学系１４０から射出された光の伝搬光路には検出系１５０が配される。
【００２５】
検出系１５０は、集光レンズ１５２、リレーレンズ１５４、光電子増倍管１５６およびダイクロイックミラー１５８を有して、サンプル１１２から射出されたＣＡＲＳ光の検出に用いられる。ダイクロイックミラー１５８は、サンプル１１２から射出された光からＣＡＲＳ光を分岐させて、集光レンズ１５２およびリレーレンズ１５４を通じて光電子増倍管１５６に導入する。よって、ＣＡＲＳ光は、光量を低下することなく、光電子増倍管１５６に効率よく受光される。
【００２６】
制御系１６０は、制御部１６２、キーボード１６４、マウス１６６および表示部１６８を有する。制御部１６２は、汎用パーソナルコンピュータに後述する制御手順を実行させるプログラムを実装することにより形成できる。
【００２７】
キーボード１６４およびマウス１６６は、制御部１６２に接続され、制御部１６２にユーザの指示を入力する場合に操作される。表示部１６８は、キーボード１６４およびマウス１６６によるユーザの操作に対してフィードバックを返すと共に、制御部１６２が生成した画像または文字列をユーザに向かって表示する。
【００２８】
また、制御部１６２は、レーザ装置１２０、検出系１５０および走査系１３０の各々に接続され、それぞれの動作を制御する。更に、制御部１６２は、レーザ顕微鏡１００を制御する場合に、測定部１４９の測定結果および読取部１４１の読み取り結果を参照して、励起光の照射範囲、光強度等を制御する。また更に、制御部１６２は、検出系１５０の検出結果に基づいて、サンプル１１２の観察画像を生成して、表示部１６８に表示する。
【００２９】
図２は、レーザ顕微鏡１００において、被観察物がＣＡＲＳ光を発生するＣＡＲＳ過程を説明する模式図である。ＣＡＲＳ過程は、互いに異なる光周波数ω１、ω２を有するポンプ光およびストークス光の二つのレーザ光を含む励起光を被観察物に照射して、ポンプ光の光周波数ω１とストークス光の光周波数ω２との差［ω１−ω２］が、被観察物に含まれる分子の固有振動の角振動数ω０と一致した場合に発生する。
【００３０】
ＣＡＲＳ過程により、被観察物に含まれる特定の分子構造の振動モードが励振されると、分子振動が光周波数ω３を有する第３のレーザ光であるプローブ光と相互作用することにより、三次の非線形分極に由来するＣＡＲＳ光が発生する。
【００３１】
更に、ポンプ光はプローブ光としても利用できるので、［ω１＝ω３］という条件の下で、ＣＡＲＳ光が発生する。被観察物において発生するＣＡＲＳ光は、［ωＣＡＲＳ＝ω１−ω２＋ω３］を満たす光周波数を有する。
【００３２】
よって、被観察物から射出されたＣＡＲＳ光を検出することにより、被観察物に含まれる特定の分子構造、例えば官能基の存在を検出できる。また、励起光を被観察物に照射する位置を変えながら繰り返しＣＡＲＳ光を検出することにより、被観察物における特定の分子構造の分布を画像化することができる。
【００３３】
ＣＡＲＳ光は自発ラマン散乱光等に比べると光強度が高いので、光電気変換素子を用いた場合に短時間で検出できる。よって、検出に要する時間が単に短くなるばかりではなく、ビデオレートでの観察もできる。
【００３４】
これにより、特定分子構造の分布だけではなく、分布の変化も検出することができる。また、被観察物に照射する励起光の帯域を、生細胞に与えるダメージが少ない赤外帯域とすることにより、被観察物の生細胞を生かしたまま観察することができる。
【００３５】
更に、非線形効果により生じるＣＡＲＳ光は、下側の対物レンズ１４４により励起光が絞り込まれた極めて狭い領域において発生する。このため、ＣＡＲＳ光検出の対象となる領域は、照射光の光軸に交差する方向と、光軸と平行な方向の両方に関して狭い領域となる。よって、ＣＡＲＳ光による被観察物の観察は、立体的に高い解像度を有する。
【００３６】
よって、赤外帯域または近赤外帯域の照射光を用いて、観察平面を被観察物の内部に形成してもよい。また、観察平面を、被観察物の深さ方向に順次移動させることにより、特定の分子構造の三次元的な分布を反映した画像を生成できる。
【００３７】
また更に、被観察物の特定の位置に照射する照射光の光周波数を変化させることにより、当該照射位置から射出されたＣＡＲＳ光の周波数分布を示すスペクトル画像が得られる。また、照射光の光路に対して交差する方向に被観察物を移動させながら照射光を繰り返し照射することにより、上側の対物レンズ１４２の焦点を含む観察平面における特定の分子の分布を画像化して検出画像を生成できる。
【００３８】
図３は、レーザ顕微鏡１００におけるサンプル１１２の構造を示す模式的断面図である。観察されるサンプル１１２は、レーザ顕微鏡１００のステージ１１０に置かれている。図示の例では、培養容器２００に収容されて支持された状態の細胞シート１１１が、レーザ顕微鏡１００の観察対象となる。
【００３９】
細胞シート１１１は、被検者から採取した細胞を培養して作成された、シート状をなす細胞組織を意味する。培養された細胞シートは、細胞が生きている状態のまま被検者の生体組織に付着させて使用される。
【００４０】
レーザ顕微鏡１００において、ステージ１１０には、ステージ１１０上に置かれた培養容器２００の底面を露出させる観察窓１１４が設けられる。これにより、ステージ１１０に置かれた培養容器２００は、底面側からも、上面側からも観察することができる状態になる。また、ステージ１１０に置かれた培養容器２００に対しては、底面側からも、上面側からも励起光を照射できる。
【００４１】
培養容器２００は、保持枠２１０および透過部２２０を有する。保持枠２１０は、樹脂等の成形し易い材料により形成され、短い円筒形の形状を有する。保持枠２１０は、円筒形の側壁を形成し、当該側壁の下端面においてステージ１１０の上面に接する。保持枠２１０は、下面中央に開口部２１２を有する。
【００４２】
透過部２２０は、保持枠２１０により保持され、保持枠２１０の開口部２１２を液密に封止して、培養容器２００の底面を形成する。これにより、培養容器２００は、培養液２４０を漏らすことなく収容できる。また、透過部２２０により形成された培養容器２００の底面は光学的に透明になる。
【００４３】
なお、保持枠２１０は、例えば、ポリカーボネート、ポリスチレン、ポリジメチルシロキサン、シリコーンポリカーボネート、ポリエチレンテレフタレート等の高分子材料により形成できる。透過部２２０は、例えば、カバーガラス等の透明な無機材料により形成できる。
【００４４】
培養容器２００において、透過部２２０の上面、即ち、培養容器２００の内側の底面には、温度応答性ポリマー層２３０が設けられる。温度応答性ポリマー層２３０は、例えば、ポリ−Ｎ−イソプロピルアクリルアミド等の高分子材料により形成でき、透過部２２０の内面に付着している。ポリ−Ｎ−イソプロピルアクリルアミドは、３０度前後の温度を境として水和力が変化する。このような性質を利用して、細胞シート１１１を、酵素処理等によるダメージを与えることなく、培養容器２００の底面に固定または開放できる。培養容器２００は、細胞シートを支持する支持体の一例に過ぎず、板状のスライドガラス等を支持体として用いることもできる。
【００４５】
なお、温度応答性ポリマー層２３０の材料はポリ−Ｎ−イソプロピルアクリルアミドに限られるわけではなく、（メタ）アクリルアミド化合物、Ｎ−イソプロピルアクリルアミドなどのＮ−（またはＮ，Ｎ−ジ）アルキル置換（メタ）アクリルアミド誘導体およびビニルエーテル誘導体のいずれか、または、２種以上を組み合わせて使用できる。また、上記以外のモノマー類との共重合、ポリマー同士のグラフトまたは共重合、ポリマー、コポリマーの混合物を用いてもよい。更に、所与の温度応答性を喪失しない範囲で架橋させて使用することもできる。
【００４６】
上記のような培養容器２００において、細胞シート１１１は、培養液２４０に浸漬され、温度応答性ポリマー層２３０により底面に固定された状態で観察される。培養容器２００の底面を形成する透過部２２０は透明なので、細胞シート１１１を培養容器２００に収容、固定したまま、細胞シート１１１に対して励起光を照射し、発生したＣＡＲＳ光を検出できる。
【００４７】
図４は、培養容器２００の側面図である。図示のように、培養容器２００の側面には、ラベル２５０を貼付できる。ラベル２５０には、バーコード、文字等により、当該培養容器２００とそれに収容された細胞シート１１１に関する情報が表示される。レーザ顕微鏡１００において、ラベル２５０は、読取部１４１により読み取られる。これにより、レーザ顕微鏡１００の制御部１６２は、観察するサンプル１１２に関する情報を取得できる。
【００４８】
ここで、培養容器２００に関する情報とは、培養容器２００の底面から透過部２２０の上面までの高さ、透過部２２０の上に形成された温度応答性ポリマー層２３０の厚さ、温度応答性ポリマー層２３０の材料組成等を意味するが、これら以外の情報も含まれていてもよい。また、細胞シート１１１に関する情報とは、細胞シート１１１の種類、厚さ、厚さの均一性等を含む。更に、細胞シート１１１が複数の細胞シート１１１を積層したものである場合は、観察対象となる細胞シート１１１の積層数も情報に含まれる。
【００４９】
なお、ラベル２５０への情報の記入と、ラベル２５０の培養容器２００への貼付は、培養容器２００が製造された段階、細胞シート１１１の培養段階において、それぞれなされてもよい。または、培養容器２００の製造装置および細胞シート１１１の培養装置で測定されたそれらの情報を、製造装置および培養装置から取得してもよい。これにより、レーザ顕微鏡１００により細胞シート１１１を観察する段階においては、サンプル１１２に関する情報を容易且つ正確に取得できる。
【００５０】
また、レーザ顕微鏡１００による観察までの段階毎に、互いに異なる情報が表示されたラベル２５０が貼付されてもよい。なお、ここでいう段階とは、例えば、培養容器２００が製造された段階、培養容器２００に培養液および種細胞が収容された段階、培養容器２００内で細胞シート１１１が培養された段階等を意味する。よって、ひとつの培養容器２００に複数のラベル２５０が貼付される場合もあり得る。
【００５１】
ところで、培養容器２００における保持枠２１０および温度応答性ポリマー層２３０は、いずれも高分子材料により形成される。高分子材料は、ガラス等の無機材料と異なり、比較的低い温度で分解または変質する。このため、保持枠２１０および温度応答性ポリマー層２３０等の樹脂部に対して励起光が集中的に照射された場合に、励起光から樹脂部に与えられるエネルギーによって高分子材料が熱的に励起して、溶融による変形またはアブレーションによる損傷を受ける場合がある。
【００５２】
そこで、レーザ顕微鏡１００においては、保持枠２１０および温度応答性ポリマー層２３０を含む樹脂部が、励起光により熱的に励起することを抑制する抑制部が設けられる。すなわち、抑制部は、樹脂部が励起光から受ける光強度等のエネルギー量を調節する調節部の役割を担う。抑制部は、例えば、レーザ顕微鏡１００の制御部１６２を利用して形成される。なお、以下の説明において「樹脂部」と記載した場合は、保持枠２１０、温度応答性ポリマー層２３０の他、透過部２２０を固定する接着剤、シール剤等、サンプル１１２における他の高分子材料により形成された部分全体を指す。
【００５３】
抑制部は、励起光による熱的な励起を抑制すべき樹脂部の空間的な配置を把握して、当該位置に対する励起光の照射を抑制する。このため、上記ラベルに、樹脂部の配置に関する情報を記載しておくことにより、制御部１６２に形成された抑制部は、サンプル１１２毎に樹脂部が占める空間的な位置を、読取部１４１を通じて容易に取得できる。
【００５４】
図５は、培養容器２００に収容された細胞シート１１１を観察する場合の手順の一部を示す流れ図である。図５に示す手順は、ステージ１１０が、図１に点線で示した予備位置にある場合に実行される手順を示す。なお、下記の例においては、樹脂部の一例として温度応答性ポリマー層２３０を取り扱う。
【００５５】
レーザ顕微鏡１００により細胞シート１１１を観察する場合は、まず、ステージ１１０を予備位置に移動させる（ステップＳ１０１）。これにより、ステージ１１０の上面が広く開放されるので、サンプル１１２を簡単に載せることができる（ステップＳ１０２）。
【００５６】
次に、レーザ顕微鏡１００の制御部１６２は、読取部１４１を用いて、培養容器２００の側面に貼付されたラベル２５０に記載された情報を読み取る（ステップＳ１０３）。これにより、サンプル１１２における温度応答性ポリマー層２３０の位置に関する情報がラベル２５０に記載されていた場合は、制御部１６２が当該情報を取得できる。
【００５７】
なお、温度応答性ポリマー層２３０、保持枠２１０等の位置に関する情報は、培養容器２００が製造された段階で定まっている。よって、制御部１６２が予め培養容器２００の仕様を格納しており、ラベル２５０に記載された培養容器２００の型番を、培養容器２００の樹脂部の情報として取得してもよい。
【００５８】
また、温度応答性ポリマー層２３０の特定に寄与する情報がラベル２５０に表示されていなかった場合、あるいは、ラベル２５０が貼付されていなかった場合、制御部１６２は、その旨をユーザに向かって表示してもよい。また、制御部１６２は、測定部１４９に対して、欠けている情報を測定すべき項目として指示してもよい。
【００５９】
次いで、制御部１６２は、測定部１４９を用いて培養容器２００における温度応答性ポリマー層２３０に関する値を測定する（ステップＳ１０４）。ここで、温度応答性ポリマー層２３０に関する値とは、例えば、温度応答性ポリマー層２３０の上面および下面の界面のｚ方向の位置を意味する。制御部１６２は、測定結果に基づいて、サンプル１１２における温度応答性ポリマー層２３０の空間的な位置を特定できる（ステップＳ１０５）。
【００６０】
また、温度応答性ポリマー層２３０に関する値として、温度応答性ポリマー層２３０に固定されている細胞シート１１１の厚さを測定してもよい。これにより、励起光の焦点位置の移動を細胞シート１１１の表面から開始した場合に、ｚ方向の移動量として温度応答性ポリマー層２３０の空間的な位置を特定できる（ステップＳ１０５）。なお、ステップＳ１０３において既に取得している情報については、測定を省いてもよいし、既存の情報を確認する目的で改めて測定してもよい。
【００６１】
図６は、測定部１４９の動作を例示する図である。図示の測定部１４９は、サンプル１１２に向かって、励起光に比較して弱いレーザ光を照射して、サンプル１１２における反射光を計測する。よって、異なる組成の物質の界面で生じた反射光を検出することにより、サンプル１１２における細胞シート１１１の表面、温度応答性ポリマー層２３０表面等の、ｚ方向の位置を測定できる。
【００６２】
図示の例では、測定部１４９は、培養液２４０と細胞シート１１１との界面、細胞シート１１１と温度応答性ポリマー層２３０の界面、温度応答性ポリマー層２３０と透過部２２０との界面のそれぞれにおいて生じた反射光をラインセンサ等により受光して、各界面のｚ方向の位置を測定する。これにより、制御部１６２は、温度応答性ポリマー層２３０の表面の位置を測定できる。
【００６３】
レーザ顕微鏡１００においては、測定部１４９が測定した界面の位置に基づいて、制御部１６２が、ｚ方向に関する細胞シート１１１の表面の位置、細胞シート１１１の厚さ、温度応答性ポリマー層２３０の表面の位置、ステージ１１０の表面から温度応答性ポリマー層２３０の上面までの距離等を算出する。こうして、細胞シート１１１および温度応答性ポリマー層２３０の少なくとも一方に関して、ｚ方向に関する空間的な位置が特定される。
【００６４】
なお、測定対象であるサンプル１１２に多層の細胞シート１１１が含まれる場合は、細胞シート１１１どうしの界面においても反射が生じる。よって、反射光から各界面の位置を測定する場合は、サンプル１１２の構造を配慮することが望ましい。
【００６５】
また、測定部１４９がサンプル１１２に照射する光としては、照射されたサンプル１１２の熱的な励起が生じ難い可視光帯域の光を用いることが好ましい。また、界面の位置を測定できる範囲で、光強度および照射時間を極力短くすることが好ましい。これにより、測定部１４９は、サンプル１１２にダメージを与えることなく温度応答性ポリマー層２３０を測定できる。
【００６６】
このように、制御部１６２に形成された抑制部は、測定部１４９を用いることにより、樹脂部に関する情報が予め用意されていなくても、温度応答性ポリマー層２３０等の位置を特定できる。これにより、抑制部は、温度応答性ポリマー層２３０に対する励起光の照射を抑制する制御、すなわち温度応答性ポリマー層２３０が励起光から受ける光強度等のエネルギー量を調節する制御ができる状態になる。
【００６７】
図７は、測定部１４９の他の動作を説明する図である。図１に示したように、測定部１４９は、予備位置におけるステージ１１０の上方に複数配される。また、複数の測定部１４９は、一直線上ではなく、二次元的に配置される。これにより、例えば、単一の温度応答性ポリマー層２３０の表面を複数の測定部１４９により測定した場合に、温度応答性ポリマー層２３０の表面の傾きや凹凸を検出できる。
【００６８】
これにより、例えば、図７に示すようにステージ１１０上の異物２１１等によりサンプル１１２が傾いた場合や、温度応答性ポリマー層２３０および細胞シート１１１の厚さむらにより温度応答性ポリマー層２３０の表面が傾斜したり表面に凹凸が形成されたりした場合であっても、傾いた状態の温度応答性ポリマー層２３０の絶対的な位置を測定部１４９により検出できる。なお、測定部１４９は、単一の照射光により重層的な複数の界面を検出できるので、ステージ１１０そのものの表面も合わせて測定することにより、ステージ１１０の位置を基準として、温度応答性ポリマー層２３０等の温度応答性ポリマー層２３０のｚ方向の位置を特定できる。このように、複数の測定部１４９を設けることにより、サンプル１１２の傾きのように不確定な温度応答性ポリマー層２３０の位置も検出できる。
【００６９】
図７に示した例では、複数の測定部１４９を用いて温度応答性ポリマー層２３０の複数の点における位置を検出したが、単一の測定部１４９を移動させることにより温度応答性ポリマー層２３０の複数の点における位置を検出してもよい。
【００７０】
図８は、培養容器２００に収容された細胞シート１１１を観察する場合の手順の一部を示す流れ図である。図８に示す手順は、ステージ１１０が、図１に実線で示した観察位置にある場合の手順を示す。
【００７１】
レーザ顕微鏡１００の制御部１６２は、観察対象となるサンプル１１２について、温度応答性ポリマー層２３０の空間的な位置に関する情報を取得すると、まず、ステージ１１０を観察位置に移動させる（ステップＳ２０１）。観察位置に移動したサンプル１１２の状態を図９に示す。
【００７２】
図９は、ステージ１１０が観察位置に移動した直後のサンプル１１２の状態を示す模式的断面図である。レーザ顕微鏡１００の観察位置において、ステージ１１０上に置かれた培養容器２００は、上下の対物レンズ１４２、１４４の間に位置する。ステージ１１０に置かれたサンプル１１２に対して、レーザ顕微鏡１００の下側の対物レンズ１４４は、観察窓１１４を通じて、培養容器２００の底面をなす透過部２２０下面に接近する。
【００７３】
下側の対物レンズ１４４と培養容器２００の透過部２２０との間隙は、水１４３により充填される。これにより、下側の対物レンズ１４４の実効的な開口数が増加し、対物レンズの実効的な倍率を大きくできる。
【００７４】
図１０は、レーザ顕微鏡１００においてサンプル１１２を観察している状態を示す模式的断面図である。図示のように、上側の対物レンズ１４２の下端を培養液２４０に浸漬させることにより、対物レンズ１４２を細胞シート１１１に対して十分に接近させることができる。
【００７５】
ＣＡＲＳ光により細胞シート１１１を観察する場合、下側の対物レンズ１４４から照射される励起光の焦点は、細胞シート１１１の内部に結ばれる。細胞シート１１１に対して上側の対物レンズ１４２は、観察対象である細胞シート１１１における観察位置について、下側の対物レンズ１４４と光学的に略対称な位置にある。
【００７６】
また、一対の対物レンズ１４２、１４４は、共通の単一の焦点を結ぶ間隔で配される。よって、レーザ顕微鏡１００の制御部１６２は、対物レンズ１４２、１４４とステージ１１０との相対位置に基づいて、サンプル１１２において励起光が焦点を結ぶ位置を把握できる。
【００７７】
図１１は、サンプル１１２において励起光が焦点を結ぶ領域を拡大して示す図である。レーザ顕微鏡１００の制御部１６２は、対物レンズ１４２、１４４の焦点１４５の位置と、サンプル１１２における温度応答性ポリマー層２３０の位置とをそれぞれ把握している。よって、観察当初の焦点１４５の位置は、細胞シート１１１の内側における細胞シート１１１の表面近傍であって、図中に矢印ｚで示す垂直方向について、温度応答性ポリマー層２３０から十分に離れている。また、焦点１４５は、図中に矢印ｘ−ｙで示す平面と平行な方向についても、樹脂部である培養容器２００の保持枠２１０から十分に離れている。
【００７８】
ここで、「十分に離れた」とは、照射した励起光の焦点を、ガルバノスキャナ１３２により細胞シート１１１内で走査させた場合に、焦点１４５が温度応答性ポリマー層２３０に接近しない程度に、温度応答性ポリマー層２３０から離れていることを意味する。よって、焦点１４５が温度応答性ポリマー層２３０から十分に離れた位置にある場合、レーザ顕微鏡１００は、ガルバノスキャナ１３２を動作させつつ励起光を細胞シート１１１に照射して、細胞シート１１１における一定の領域の観察画像を生成できる。
【００７９】
図１２は、サンプル１１２において励起光が焦点を結ぶ領域を拡大して示す図である。図示の状態において、励起光の焦点は、細胞シート１１１の深い位置にあるが、温度応答性ポリマー層２３０には入り込んでいない。しかしながら、励起光による熱的な励起は、焦点１４５の位置の周囲においても誘起されるので、励起光により温度応答性ポリマー層２３０が熱的に励起しない領域は、焦点１４５の周囲に拡がっている。図中には、温度応答性ポリマー層２３０が励起光により熱的に励起し得る熱励起圏１４７を点線により示す。
【００８０】
図示のように、熱励起圏１４７は、励起光の光学的な焦点１４５の周囲に拡がる。よって、温度応答性ポリマー層２３０が熱的に励起することを防止するには、励起光の焦点１４５の接近を、熱励起圏１４７が温度応答性ポリマー層２３０を含む温度応答性ポリマー層２３０に接触しない程度までに制限することが望ましい。また、温度応答性ポリマー層２３０との界面直近まで細胞シート１１１を観察する目的で、対物レンズ１４２、１４４の被写界深度は浅いことが望ましい。
【００８１】
再び図８を参照すると、上記の通り、対物レンズ１４２、１４４の初期位置は、ガルバノスキャナ１３２により焦点１４５を走査させても、温度応答性ポリマー層２３０は、励起光による熱的な励起を生じない。よって、制御部１６２は、細胞シート１１１に対して励起光を照射し（ステップＳ２０３）、次いで、ガルバノスキャナ１３２を動作させることにより、焦点１４５を細胞シート１１１内で走査させる（ステップＳ２０４）。
【００８２】
最初の領域の観察画像が生成されると、制御部１６２は、対物レンズ１４２、１４４の焦点を移動させて、次の観察領域の観察を支持する。図示の例では、対物レンズ１４２、１４４の焦点１４５を、図中に矢印ｚで示す細胞シート１１１の厚さ方向に移動させて（ステップＳ２０５）次の観察領域を観察に着手する。
【００８３】
ただし、焦点１４５をｚ方向に移動させた後に、制御部１６２は、まず、移動した焦点１４５が温度応答性ポリマー層２３０に接近したか否かを調べる（ステップＳ２０６）。ここで、「接近した」とは、対物レンズ１４２、１４４の焦点１４５が現在の位置にある場合にガルバノスキャナを動作させると、励起光が温度応答性ポリマー層２３０に接近して熱的な励起が生じる位置を意味する。
【００８４】
ステップＳ２０６において励起光の焦点１４５が温度応答性ポリマー層２３０に接近しないことが判った場合（ステップＳ２０６：ＮＯ）、制御部１６２は、ガルバノスキャナ１３２を動作させて、細胞シート１１１において当初の観察画像よりも深い位置の次の観察画像を生成する。以降、ステップＳ２０６において励起光の焦点１４５が温度応答性ポリマー層２３０に接近することが判明するまで、細胞シート１１１の深さ方向に位置を変えて、観察画像が順次生成され、当該領域について、三次元的な観察画像がえられる。
【００８５】
一方、ステップＳ２０６において励起光の焦点１４５が温度応答性ポリマー層２３０に接近したことが判った場合（ステップＳ２０６：ＹＥＳ）、制御部１６２は、励起光を照射されたことによる励起を抑制する（ステップＳ２０７）。励起光による励起は、例えば、細胞シート１１１に照射される励起光の光強度を減少させることにより抑制できる。
【００８６】
光強度の減少は、レーザ装置１２０の出力を低下させる方法の他、レーザ装置１２０からサンプル１１２までの光路上にシャッタ、減衰フィルタ等を挿入して光強度を低減する方法、または、拡散フィルタを挿入して単位面積当たりの光強度を低減する方法でもよい。また、励起光の連続発光時間（パルス幅）をピコ秒程度まで短くする方法、発光間隔を長くする方法等により励起光のデューティ比を低減させてもよい。
【００８７】
なお、励起光の抑制は、抑制と非抑制の２段階に限られない。即ち、励起光の焦点が温度応答性ポリマー層２３０に近づくにつれて、励起光の強度を段階的に強く抑制してもよい。また、励起光の焦点１４５が温度応答性ポリマー層２３０に接近した場合もしくは近接するに従って計測点数を減少させることにより励起を抑制してもよい。
【００８８】
こうして、励起光の焦点１４５が温度応答性ポリマー層２３０に接近した場合に、励起光の照射による熱的な励起を抑制することにより、温度応答性ポリマー層２３０の劣化を防止できる。ステップＳ２０７において励起が抑制されると、制御部１６２は、まず、観察対象である細胞シート１１１において、未だ観察画像を生成していな領域が残っているか否かを調べる（ステップＳ２０８）。そして、予定された全ての領域について観察画像が生成されている場合は（ステップＳ２０８：ＹＥＳ）、レーザ顕微鏡１００による観察を終了する。
【００８９】
一方、ステップＳ２０８において、観察画像が生成されていない領域が残っていることが判った場合（ステップＳ２０８：ＮＯ）、制御部１６２は、励起光の焦点１４５の位置を、ｚ方向についてリセットする（ステップＳ２０９）。即ち、焦点１４５の位置を、細胞シート１１１の表面近傍に戻す。
【００９０】
次に、制御部１６２は、励起光の焦点１４５を、図中に矢印ｘ−ｙで示す平面と平行な方向に移動させた後（ステップＳ２１０）、焦点１４５が温度応答性ポリマー層２３０から離れたか否かを調べる。ここで「離れた」とは、励起光の焦点１４５が、温度応答性ポリマー層２３０に接近していない状態を意味する。
【００９１】
ステップＳ２１１において、励起光の焦点１４５が温度応答性ポリマー層２３０から離れていないことが判った場合（ステップＳ２１１：ＮＯ）、制御部１６２は、焦点１４５を再びｘ−ｙ平面の方向に移動させ（ステップＳ２１０）、改めて焦点１４５が温度応答性ポリマー層２３０から離れたか否かを調べる（ステップＳ２１１）。こうして、焦点１４５が温度応答性ポリマー層２３０から離れると、制御部１６２は、励起光による励起の抑制を解除して（ステップＳ２１２）、再び、制御をステップＳ２０４に戻す。
【００９２】
以下、細胞シート１１１について予定されていた観察領域の観察画像が生成される（ステップＳ２０８：ＹＥＳ）まで、ステップＳ２０４からステップＳ２１２までの一連の動作を繰り返す。こうして、サンプル１１２の温度応答性ポリマー層２３０が熱的に励起することなく、細胞シート１１１全体の観察画像を生成できる。
【００９３】
なお、全体とは、必ずしも細胞シート１１１の全域を意味しない。即ち、ＣＡＲＳ光による観察は高い解像度を有するので、細胞シート１１１の観察画像を隈なく生成するには膨大な観察時間を要する。よって、予め定めた基準により選択した一部の領域を観察することにより、細胞シート全体の品質を調べる。
【００９４】
また、上記の例では、励起光の照射による励起が抑制された場合は（ステップＳ２０７）、励起光を照射する観察領域を直ちに変更する手順とした（ステップＳ２０８〜２１１）。しかしながら、励起光照射による励起を抑制した状態で、温度応答性ポリマー層２３０近傍の細胞シート１１１の観察を継続してもよい。
【００９５】
この場合、観察に要する時間は長くなるが、温度応答性ポリマー層２３０の熱的な励起を抑制しつつ、観察を継続できる。換言すれば、温度応答性ポリマー層２３０近傍以外の領域では、光強度の大きな励起光により高速に観察できるので、細胞シート１１１全体の観察に関するスループットの低下は限定的となる。
【００９６】
更に、励起光の焦点１４５が温度応答性ポリマー層２３０に接近した場合に、レーザ顕微鏡１００の外部に対して、音、光、映像等による警報を発生してもよい。これにより、細胞シート１１１内に観察されない領域が発生すること、あるいは、観察に要する時間が長くなることが予測されるので、ユーザが判断して、以降の観察条件を変更できるようにしてもよい。
【００９７】
また、上記の例では、励起光の焦点１４５が温度応答性ポリマー層２３０に接近した場合に励起光の光強度を低下させる例を示したが、励起光の焦点１４５が温度応答性ポリマー層２３０に接近した場合に励起光の照射を停止してもよい。
【００９８】
また更に、上記の例では、励起光の焦点１４５が、温度応答性ポリマー層２３０に接近した場合について例示したが、細胞シート１１１を収容する培養容器２００には、他にも高分子材料が使用されている。既に説明した通り、保持枠２１０も樹脂材料により形成されている場合がある。また、透過部２２０を保持枠２１０に固定する接着剤、シール剤等も、高分子材料を含む場合がある。
【００９９】
よって、制御部１６２は、励起光の焦点１４５がこれらの材料に接近した場合にも、励起光照射による励起を抑制することが好ましい。なお、焦点１４５の接近を判断する閾値を、対象となる高分子材料の組成に応じて変更してもよい。また、励起光の抑制レベルを固定する場合は、樹脂部においてもっとも低い温度で変質するものに抑制レベルを合わせることが好ましい。
【０１００】
上記実施の形態においては、励起させる対象は、培養容器内の培養液に浸漬した細胞シートであった。しかしながら、励起装置の励起対象は、このような形態に限定されない。即ち、観察対象の形態および形状に応じて、スライドガラス等の平坦な支持体に支持された対象に励起光を照射する場合もある。また、培養液無しに容器に収容された対象に励起光を照射する場合もある。
【０１０１】
また、上記実施の形態においては、励起させる対象として、被観察物である細胞シートを例にあげた。しかしながら、非線形光学効果を発生させるべく励起光を照射する対象は、細胞シートに限られず、人工多機能性幹細胞（ｉＰＳ細胞）、胚性幹細胞（ＥＳ細胞）等のシート状をなさない細胞、例えば皮膚の断片のような組織、細菌のような微生物等であってもよい。
【０１０２】
本実施例では、励起対象として、被観察物である細胞シートを用いた例を示した。しかしながら、光線形効果を利用したレーザ顕微鏡は、細胞シートに代えて、人工多機能性幹細胞（ｉＰＳ細胞）、胚性幹細胞（ＥＳ細胞）等のシート状をなさない細胞、例えば皮膚の断片のような組織、細菌のような微生物等の観察に、本発明を用いることができる。
【０１０３】
以上、実施の形態を用いて本発明を説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【０１０４】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【０１０５】
１００  レーザ顕微鏡、１１０  ステージ、１１１  細胞シート、１１２  サンプル、１１４  観察窓、１２０  レーザ装置、１２２、１２４  レーザ光源、１２６  コンバイナ、１３０  走査系、１３２  ガルバノスキャナ、１３４  スキャンレンズ、１３６  一次像面、１４０  光学系、１４１  読取部、１４２、１４４  対物レンズ、１４３  水、１４６  コンデンサレンズ、１４５  焦点、１４７  熱励起圏、１４８  反射鏡、１４９  測定部、１５０  検出系、１５２  集光レンズ、１５４  リレーレンズ、１５６  光電子増倍管、１５８  ダイクロイックミラー、１６０  制御系、１６２  制御部、１６４  キーボード、１６６  マウス、１６８  表示部、２００  培養容器、２１０  保持枠、２１１  異物、２１２  開口部、２２０  透過部、２３０  温度応答性ポリマー層、２４０  培養液、２５０  ラベル
【図１】
2015121660.tif 000003
【図２】
2015121660.tif 000004
【図３】
2015121660.tif 000005
【図４】
2015121660.tif 000006
【図５】
2015121660.tif 000007
【図６】
2015121660.tif 000008
【図７】
2015121660.tif 000009
【図８】
2015121660.tif 000010
【図９】
2015121660.tif 000011
【図１０】
2015121660.tif 000012
【図１１】
2015121660.tif 000013
【図１２】
2015121660.tif 000014